(57)【要約】      （修正有）【課題】油分が付着しても利用者が滑らず、清掃が容易な踏み台を提供する。【解決手段】踏み台１は、天板１０と一対の脚１１、１２とからなり、金属製の天板１０の上面に滑り止め手段を備え、滑り止め手段が天板１０の上面の表面に５００μｍ以下の微細凹凸領域を形成したものであって、凸部の角がテーパである。【選択図】図１
0003205580.tif 000002
【実用新案登録請求の範囲】
【請求項１】
金属製の天板の上面に滑り止め手段を備え、前記滑り止め手段が前記天板の上面の表面に５００μｍ以下の微細凹凸領域を形成したものであって、凸部の角Ｒがテーパであることを特徴とする請求項１に記載の踏み台。
【請求項２】
前記微細凹凸領域において、該凹凸が不規則的に又は規則的に形成されていることを特徴とする請求項１に記載の踏み台。
【請求項３】
前記微細凹凸領域は、金属、サーメット又はセラミックスのいずれかを被覆することにより形成されることを特徴とする請求項１又は２に記載の踏み台。
【請求項４】
前記微細凹凸領域は、溶射皮膜により形成されたものであることを特徴とする請求項１ないし３のいずれか１項に記載の踏み台。
【請求項５】
コの字形状に曲折した所定数のパイプを接続することで前記天板を支持する天板支持部を形成し、前記天板を所定間隔で所定数配設して簀の子構造としたことを特徴とする請求項１ないし４のいずれか１項に記載の踏み台。
【考案の詳細な説明】
【技術分野】
【０００１】
本考案は、滑りやすい作業環境で使用される踏み台に関する。
【背景技術】
【０００２】
踏み台は、住宅の玄関の上がり框や、クルマの乗車下車のステップとして、段差を解消し、又は昇降負担を軽減する手段に用いることが多い。また、別の用途としては、運動不足解消のための踏み台昇降運動に使用されることもある。このような踏み台は、利用者が載った際、足を踏み外さないように滑り止め部材を備えていることが多い。従来の滑り止め部材を備えた踏み台としては、下記特許文献１ないし５において提案されている。
【０００３】
特許文献１及び２に係る踏み台は、滑り止め部材にポリ塩化ビニルを使用している。特許文献３に係る踏み台は、滑り止め部材に、硬質ゴムやプラスチックを使用し、特許文献４に係る踏み台はゴム、特許文献５に係る踏み台は、滑り止めにするために、カーペット等を天板の表面に貼り付けている。
【先行技術文献】
【特許文献】
【０００４】
【特許文献１】特開２００５−６０９５１号公報
【特許文献２】実登３１１９０３５号公報
【特許文献３】実登３１６５３９６号公報
【特許文献４】実公昭６２−４０９４４号公報
【特許文献５】実登３０９４０６８号公報
【考案の概要】
【考案が解決しようとする課題】
【０００５】
ところが、例えば、油や油分を含む液体が付着した平滑な床面などで作業する厨房や工場などの作業環境においては、靴の底面に油分が付着したまま、踏み台に載ると滑って足を踏み外す危険性がある。特許文献１ないし５に提案された滑り止め手段では、天板に油や油分を含む液体が付着すると、清掃も困難であり、油分を除去することは大変厄介である。
【０００６】
なお、踏み台の天板を金属製とした場合に、滑り止め部材としては、圧延により成形された縞鋼板、縞模様を形成した樹脂製フィルムを貼り付けた鋼板や、金属粒、セラミック粒若しくは樹脂粒を板面に接着したもの、金属板を特殊な機械によって千鳥状に切れ目を入れると同時に押し広げ、 菱形あるいは亀甲形の網目状に加工したエキスパンドメタルを採用することもできる。しかし、上記滑り止め部材の使用は、圧延油や機械油、食用油等の油脂類が多量に使用される工場の作業場や、厨房において、その耐性、摩擦安定性、歩行安定性、歩行感触性において多くの問題を有する。すなわち、縞鋼板や樹脂フィルムの縞模様は、比較的大柄であることが多く、縞を形成する凸部に油脂が付着すると、滑り止め効果が劣化し、安定歩行が困難であるばかりか、作業に危険を伴う蓋然性が高い。エキスパンドメタルは、凹凸が大きく方向性があるため、滑り止めとしては安定性に欠けるという問題がある。金属粒、セラミック粒若しくは樹脂粒を板面に接着したものや、樹脂フィルム等を貼り付けた方法では耐久性に劣るため、長期の使用は困難である。
【０００７】
本考案は、このような問題に鑑み、天板を金属製として、その上面表面に微細凹凸を備えることで、油分が付着しても利用者が滑らない踏み台を提案することを課題とする。
【課題を解決するための手段】
【０００８】
上記問題を解決するために、本考案の踏み台は、金属製の天板の上面に滑り止め手段を備え、滑り止め手段が天板の上面の表面に５００μｍ以下の微細凹凸が形成されたものであって、凸部の角Ｒがテーパであることを特徴とする。
【０００９】
また、本考案の踏み台において、該凸部の表面に、微細凹凸が不規則的に又は規則的に形成されているとなおよい。凹凸は、金属、サーメット又はセラミックスのいずれかを被覆することにより形成され、溶射皮膜により形成してもよい。
【００１０】
さらに、本考案に係る踏み台は、コの字形状に曲折した所定数のパイプを接続することにより天板を支持する天板支持部を形成し、天板を所定間隔で所定数配設して簀の子構造としたことを特徴とする。
【考案の効果】
【００１１】
本考案に係る踏み台は、歩行に際して、利用者の靴底面と、溶射皮膜表面に形成されている微細凹凸部とが均一に接触し、優れた摩擦力により安定した歩行が可能となる。すなわち、水や油で濡れている床面などの歩行面に対して高い耐滑性が得られ、水や油が床面に散乱した状態が多い例えば厨房や食品加工工場などで安全に歩いて作業を行うことができる。スリップによる転倒事故を軽減できるという効果がある。
また、縞鋼板や縞模様の樹脂フィルムのような引っかかり悪感触がない。清掃面では、油等の付着があっても、水蒸気又は圧力水によって容易に清浄化できる。
【図面の簡単な説明】
【００１２】
【図１】本考案の実施例１に係る踏み台の全体構成を示す斜視図である。
【図２】本考案の実施例１に係る踏み台の平面図である。
【図３】本考案の実施例１に係る踏み台の底面図である。
【図４】本考案の実施例１に係る踏み台の正面図である。
【図５】本考案の実施例１に係る踏み台１の天板に備えた微細凹凸領域を拡大した一部を示す断面図である。
【図６】本考案の実施例２に係る踏み台２の全体構成を示す斜視図である。
【図７】本考案の実施例２に係る踏み台２の底面図である。
【考案を実施するための形態】
【００１３】
以下、本考案の実施例を図面に基づき詳細に説明する。各図において、同一部分には同一番号を付し、重複する説明は省略する。また、図面は、本考案を理解するために誇張して表現している場合もあり、必ずしも縮尺どおり精緻に表したものではないことに留意されたい。なお、本考案は下記に示される実施例に限られるものではない。
【実施例１】
【００１４】
実施例１を図面を参照して詳細に説明する。図１は、本考案の実施例１に係る踏み台１の全体構成を示す斜視図である。図２は、本考案の実施例１に係る踏み台１の平面図である。図３は、本考案の実施例１に係る踏み台１の底面図である。図４は、本考案の実施例１に係る踏み台１の正面図である。まず、踏み台１の全体構成を説明する。図１〜４に示すとおり、踏み台１は、大別すると、天板１０と一対の脚１１、１２とからなる。
【００１５】
図１及び２に示すとおり、天板１０は、略矩形状の基部１００と、該天板基部の縁部を曲折して長辺側部１０１と短辺側部１０２とを設けている。なお、天板１０は金属製で、ステンレス鋼板、鋼板、アルミ板、銅板を使用するとよい。
【００１６】
天板１０は、基部１００の上面に滑り止め手段として微細凹凸領域Ｘを備えている。図５は、本考案の実施例１に係る踏み台１の天板１０の基部１００の表面に備えた微細凹凸領域Ｘを拡大した断面図である。図５に示すとおり、滑り止め手段は、天板１０の基部１００の表面に５００μｍ以下の微細凹凸領域Ｘが形成されたものであって、凸部の角Ｒがテーパであることを特徴としている。微細凹凸領域Ｘは、金属、サーメット又はセラミックスのいずれかを被覆することにより形成され、溶射皮膜により形成してもよい。なお、微細凹凸領域Ｘの凹凸は不規則的に又は規則的に形成することができる。また、微細凹凸領域Ｘが設けられる範囲は限定せず、基部１００の全体であっても、一部であってもよい。
【００１７】
微細凹凸領域Ｘの厚みは、特に限定しない。例えば、１００〜５００μｍの任意の厚みを採用することができる。微細凹凸領域Ｘの表面は、できるだけ粗面にするとよいが、例えば、評価Ｒｚで３０μｍ以上が好適である。
【００１８】
溶射材料は、アルミナ系・ジルコニア系・チタニア系・クロミア系のセラミックス、タングステンカーバイド系・クロムカーバイト系のサーメットおよびＳＵＳ４２０、ＳＵＳ３１６、ＳＵＳ３０４などのステンレス系、Ｎｉ−Ｃｒ合金、Ｎｉ基合金、Ｆｅ系合金が使用される。これらの材料を皮膜として形成させる溶射方法は、プラズマ溶射、ガスフレーム溶射、アーク溶射、ＨＶＯＦ溶射の方法を用いることができる。溶射は被溶射全面にわたって均一に行ってもよいし、ジグザグ模様や格子模様等、任意の模様を形成してもよい。
【００１９】
溶射皮膜により微細凹凸領域Ｘを形成した後、封孔処理により防錆油や塗料を塗布してもよいが、封孔処理をせずに、溶射により形成された溶射皮膜層Ｘに存在する多数の気孔による微細凹凸を残したままにするとより滑り止め効果が高まる。
【００２０】
悪感触に問題がないようであれば、天板１０の基部１００に、縞鋼板、アンチスリップ等のようにあらかじめ凸部を有するものを使用して、その表面に微細凹凸領域Ｘを形成すると、凸部を有しない平板状のものに比べ滑り防止機能は向上する。
【００２１】
溶射においては、少なくとも溶射する領域を事前に洗浄かつショットブラストしておかないと溶射材料の密着性が悪くなり、十分な耐滑り性を確保できない。そのため、溶射前に、少なくとも溶射する領域を洗浄かつショットブラストし、その後、溶射するとよい。
【００２２】
再び、図３及び４を参照する。脚１１、１２は、一対からなる。すなわち、脚１１は、天板支持部１１０と、一対の立脚部１１１と、脚キャップ１１２とを備える。同様に、脚１２は、天板支持部１２０と、一対の立脚部１２１と、脚キャップ１２２とを備える。脚１１、１２は、一本の中空パイプをコの字に曲折して天板支持部１１０、１２０を形成し、コの字の端を所望の長さで天板支持部１１０、１２０に対し略９０度に曲折して立脚部１１１、１２１を形成するとよい。立脚部１１１、１２１の先端には脚キャップ１１２、１２２を取り付けてもよい。なお、中空パイプをコの字状にして、中空パイプの先端に別のパイプを接続してもよい。また、中空パイプは金属製が好適である。
【００２３】
図３に示すように、天板１０の長辺側部１０１は、その長辺端を、天板支持部１１０、１２０を挟持するように当接させて折り曲げると、天板１０と脚１１とががっちり固定される。
【実施例２】
【００２４】
実施例２を図面を参照して詳細に説明する。図６は、本考案の実施例２に係る踏み台２の全体構成を示す斜視図である。図７は、本考案の実施例２に係る踏み台２の底面図であり、間隙Ｓを明確に示すため、天板２０の基部２００と、脚２１、２２には斜線を施している。
【００２５】
図６と７を参照しながら説明する。実施例２に係る踏み台２は、天板２０ａ、２０ｂ、２０ｃが所定間隔で並列した簀の子構造としたもので、天板２０ａ、２０ｂ、２０ｃと、脚２１、２２とから構成される。脚２１、２２は、それぞれ天板支持部のみであり、実施例１に示した立設部や脚キャップは備えていない。したがって、踏み台２の高さは、使用される中空パイプの直径と天板の厚みの合計となり、所望の高さを採用することができる。なお、図７に示すとおり、脚２１、２２は、それぞれ一本の中空パイプを曲折することにより、形成しているが、コの字形状のパイプを並列させて、それぞれを別のパイプで接続してもよい。このような簀の子構造にすることにより、天板２０ａ、２０ｂ、２０ｃそれぞれの間に間隙Ｓが形成されるため、清掃面で、油等の付着があっても、水蒸気又は圧力水によって容易に清浄化できる。なお、実施例２では、天板２０を３枚としているが、所望の枚数を選択することができるし、使用する場所に応じた寸法とすることができる。
【００２６】
天板２０ａ、２０ｂ、２０ｃは、実施例１の天板１０と同様に、それぞれ、基部２００ａ、２００ｂ、２００ｃの上面に滑り止め手段として、５００μｍ以下の微細凹凸領域Ｘが形成されたものであって、凸部の角Ｒがテーパであることを特徴としている。微細凹凸領域Ｘは、金属、サーメット又はセラミックスのいずれかを被覆することにより形成され、溶射皮膜により形成してもよい。なお、微細凹凸領域Ｘの凹凸は不規則的に又は規則的に形成することができる。また、微細凹凸領域Ｘが設けられる範囲は限定せず、基部２００ａ、２００ｂ、２００ｃそれぞれの全体であっても、一部であってもよい。
【００２７】
以上、本考案に係る踏み台における好ましい実施形態を図示して説明してきたが、本考案の技術的範囲を逸脱することなく種々の変更が可能であることは理解されるであろう。
【産業上の利用可能性】
【００２８】
本考案に係る踏み台は、圧延油や機械油、食用油等の油脂類が多量に使用される工場の作業場や、水や油が床面に散乱した状態が多い例えば厨房における段差解消手段として広く利用することができる。
【符号の説明】
【００２９】
１  ２  踏み台
１０  ２０  天板
１００  ２００  基部
１０１  ２０１  長辺側部
１０２  ２０２  短辺側部
１１  １２  ２１  ２２  脚
１１０  ２１０  天板支持部
１１１  １２１  立脚部
１１２  １２２  脚キャップ
Ｘ  微細凹凸領域
Ｓ  間隙
【図１】
0003205580.tif 000003
【図２】
0003205580.tif 000004
【図３】
0003205580.tif 000005
【図４】
0003205580.tif 000006
【図５】
0003205580.tif 000007
【図６】
0003205580.tif 000008
【図７】
0003205580.tif 000009
【手続補正書】
【提出日】平成28年5月27日(2016.5.27)
【手続補正１】
【補正対象書類名】実用新案登録請求の範囲
【補正対象項目名】全文
【補正方法】変更
【補正の内容】
【実用新案登録請求の範囲】
【請求項１】
金属製の天板の上面に滑り止め手段を備え、前記滑り止め手段が前記天板の上面の表面に５００μｍ以下の微細凹凸領域を形成したものであって、凸部の角Ｒがテーパであることを特徴とする踏み台。
【請求項２】
前記微細凹凸領域において、該凹凸が不規則的に又は規則的に形成されていることを特徴とする請求項１に記載の踏み台。
【請求項３】
前記微細凹凸領域は、金属、サーメット又はセラミックスのいずれかを被覆することにより形成されることを特徴とする請求項１又は２に記載の踏み台。
【請求項４】
前記微細凹凸領域は、溶射皮膜により形成されたものであることを特徴とする請求項１ないし３のいずれか１項に記載の踏み台。
【請求項５】
コの字形状に曲折した所定数のパイプを接続することで前記天板を支持する天板支持部を形成し、前記天板を所定間隔で所定数配設して簀の子構造としたことを特徴とする請求項１ないし４のいずれか１項に記載の踏み台。